(57)【要約】【課題】  情報処理装置とバッテリパックを接続した状態で倉庫等に保管した際の過放電状態への移行期間を延ばす。【解決手段】  情報処理装置のDC/DC電源とバッテリパックの電源ラインにスイッチ回路とそのスイッチの状態を維持するためのスイッチ固定回路とそのスイッチを設定する機能を有するとこによって、過放電状態への移行の期間を延ばすことを可能にした。【選択図】図１
2008048549.tif 000002
【特許請求の範囲】
【請求項１】
バッテリパックを内蔵する情報処理装置において、バッテリパックとシステム電源をつなぐ電源ラインとの間に、その電源ラインをＯＮ／ＯＦＦするスイッチ回路とそのＯＮ／ＯＦＦの状態を固定する回路とそのＯＮ／ＯＦＦを設定する回路を備え、前記スイッチ固定回路により、スイッチ回路をＯＦＦに固定することにより、過放電を長期間に渡り、防ぐことを可能とし、前記情報処理装置を使用する際は、前記スイッチ固定回路により、スイッチ回路をＯＮに固定することにより、通常のバッテリ駆動を可能にする事を特徴とする情報処理装置。
【請求項２】
請求項1に記載の情報処理装置において、スイッチ固定回路を制御信号により切断可能なヒューズで構成し、ONに設定し、ヒューズを切断後は、常にバッテリパックと情報処理装置の電源ラインのスイッチをONできることを特徴とする情報処理装置。
【請求項３】
請求項1に記載の情報処理装置において、スイッチの状態を保持するためのスイッチ固定用のピンを備え、該ピンを抜くことにより、バッテリパックと情報処理装置の電源ラインのスイッチをONでき、スイッチ固定ピンを差すことにより、バッテリパックと情報処理装置の電源ラインのスイッチをOFFし、過放電状態への移行の期間を延ばすことを特徴とする情報処理装置。
【請求項４】
請求項１乃至請求項３のいずれかに記載の情報処理装置において、充放電テスト用電源ラインとテスト用電源ライン切断ヒューズを備えることにより、充放電テスト終了後、該ヒューズを切断することを特徴とする情報処理装置。
【発明の詳細な説明】
【技術分野】
【０００１】
バッテリパックを内蔵する情報処理装置に係り、内蔵するバッテリの過放電保護に最適な技術に関する。
【背景技術】
【０００２】
従来、メーカーの生産工場において、バッテリパックとＰＣ本体を別々に梱包し、顧客に納入していた。しかし、近年、バッテリパックとＰＣ本体を接続した状態で倉庫に保管しいつでも顧客にバッテリパックとＰＣ本体を接続した状態で、納入するサービス形態が
増えてきた。
【０００３】
このような保管形態では、ＰＣ本体の微弱な電力消費のためにバッテリバックが過放電状態になることがあった。このため、バッテリパックの装着時にＰＣ本体からバッテリパックの放電制御をおこなえるようにバッテリパックに放電制御入力を設ける技術が、例えば、特許文献１に記載されている。
【０００４】
この特許文献１では、バッテリパックに，本体装置から電源起動信号を入力する入力端子を設ける。この入力端子に電源起動信号が入力されたとき，バッテリパック内部の保護回路部や管理回路部に電源を接続する技術が開示されている。
【０００５】
【特許文献１】特開２００１−４５６７０号公報
【発明の開示】
【発明が解決しようとする課題】
【０００６】
上記特許文献1によれば、主電源スイッチにより過放電保護が実現できるが、バッテリパックと本体装置との接続のためのコネクタのピン数が増える。また、現在ノート型パーソナルコンピュータに使用されている通常のバッテリパックのコネクタより、特殊な信号が増える。上記過放電保護の機能を動作させるため、特殊なバッテリパックが必要となる。
【０００７】
本発明は、上記課題を解決し、スマートバッテリ等の標準的なバッテリパックを使用する場合でも適用可能なバッテリパックの放電保護技術を提供することを目的とする。
【課題を解決するための手段】
【０００８】
上記の課題を解決するため、情報処理装置本体にバッテリパックの電源ラインと情報処理装置のＤＣ／ＤＣ電源の間にスイッチ回路とそのスイッチ回路を固定するための回路とそのスイッチを設定するための回路を備え、過放電保護が出来るようにした。
【発明の効果】
【０００９】
本発明によれば、スマートバッテリ等の標準的なバッテリパックを使用して、長期間  過放電にならないようにすることが可能となり、ユーザの運用形態に適した保管や納入サービスを提供できる。
【発明を実施するための最良の形態】
【００１０】
本発明の実施例では、情報処理装置のバッテリの電源ラインにスイッチ回路とスイッチを固定するための回路とそのスイッチを設定するための回路にて電源ラインをオン出来るようにした。以下、実施例とその際の動作について説明する。
【００１１】
図1は、実施例の全体構成図を示している。情報処理装置1は、図示しないディスプレイとキーボード等の入力部とCPUを含み、情報処理装置に挿抜可能なバッテリパック2から構成されている。このような構成の情報処理装置1として、例えば、ノート型パーソナルコンピュータがある。
【００１２】
情報処理装置1は、システム全体の各ICに電源を供給するためのDC/DC電源3と、そのDC/DC電源をOnするための電源スイッチ4とバッテリパックからの電源ラインをON/OFFできるスイッチ回路5と、その電源ラインからDC/DC電源に逆流防止のためのダイオード6と、そのスイッチの状態を保持出来るスイッチ固定回路7とそのスイッチを設定出来る回路8にて、構成されている。また、情報処理装置1は、ＡＣアダプター9においても電源を供給される。
【００１３】
情報処理装置1は、顧客納入前の倉庫保管時などでは、スイッチ回路5をOFFするように設定回路8で設定し、スイッチ固定回路7にてスイッチ回路5のOFFの状態を保持し、バッテリパックからの電源供給を停止させる。
【００１４】
顧客納入直前にＡＣアダプタ9を接続し、設定回路8にてスイッチ回路5をONに設定しスイッチ固定回路7にてそのON状態を保持するようにする。これにより、通常のノート型パソコンが使用できる状態にする。
【００１５】
図２は、情報処理装置とバッテリパックを接続した状態で、本発明を使用した場合10と本発明を使用しない場合11の倉庫等の保管状態での放電状況のグラフを示している。
【００１６】
通常、倉庫保管時は、約40%にて保存される。また、情報処理装置とバッテリパック接続時は、約１ｍＡ消費し、情報処理装置とバッテリパックを取り外した状態では、バッテリパック内部の保護回路及びマイコンなどにより約40uA消費する。また、通常  情報処理装置とバッテリパックを接続した状態で保存すると、約40%から1mAで消費し、計算容量の0%未満になり、バッテリのセル電圧にて過放電保護回路が動作し、情報処理装置とバッテリパックの電源ラインが、バッテリパック内部にて切り離されるようになっている。過放電保護が動作した後は、バッテリパック内部の保護回路及びマイコンなどにより約40uA消費し、最終的にはバッテリパックに充電をしても復帰できない状態になるまで放電し続ける。
【００１７】
本発明は、倉庫保管時の約40%から情報処理装置での消費する電力を抑えることが可能となり、顧客納入時は、通常のバッテリパックとして使用できる。
【００１８】
図３は、実際の回路図例である。上記のスイッチ回路をＦＥＴ21と抵抗22とトランジスタ23で構成し、上記スイッチ固定回路を信号により切断可能なヒューズと抵抗25で構成する。また、上記設定回路をBIOS26及びキーボードコントローラ27にて構成する。
【００１９】
倉庫保管時は、図3の回路によりDC/DC電源へのバッテリパック30からの電源供給が
停止している状態になっており、過放電状態になることを抑える。顧客納入時、ＡＣアダプタ9を接続し、情報処理装置31を電源ONし、BIOSにてキーボードコントローラ27へ放電路を開くよう指示し、キーボードコントローラ27がヒューズ24を切断する。これによりトランジスタ23がＯＮになり、ＦＥＴ21がＯＮになり、通常のバッテリ駆動が可能となる。
【００２０】
図４は、スイッチ固定回路のヒューズ24をプッシュスイッチにした場合を例に示している。また、図5は、スイッチの状態を固定するためのスイッチ固定用ピンとスイッチの動作を示している。
【００２１】
情報処理装置35とバッテリパック36を接続した状態で、スイッチ固定用ピン45を情報処理装置35に差している時は、スイッチ37がONになり、バッテリパック36とDC/DC電源38のラインのFET39は、OFFになる。また、スイッチ固定ピン45を情報処理装置35から外すとスイッチ37は、OFFになるなり、バッテリパック36とDC/DC電源38の電源ラインのFET39は、常にONになる。
【００２２】
図６は、工場にて充電や放電の生産テストを行うための回路図例を示している。工場にて生産テストが終了した際、ＡＣアダプタ50を情報処理装置51に接続し、電源ONする。その後BIOS52にてテスト用ヒューズ53を切断するための設定をし、キーボードコントローラ54を経由してテスト用ヒューズ53を切断する。これにより、図3と同じ構成になる。
【図面の簡単な説明】
【００２３】
【図１】本発明の情報処理装置の全体構成図である。
【図２】保管時のバッテリ放電グラフの一例を示す図である。
【図３】実施例の回路図例1である。
【図４】実施例の回路図例2である。
【図５】スイッチ固定用ピンとスイッチを示す図である。
【図６】実施例の回路図例3である。
【符号の説明】
【００２４】
1…情報処理装置、2…バッテリパック、3…DC/DC電源、4…電源スイッチ、
5…スイッチ回路、6…ダイオード、7…スイッチ固定回路、8…設定回路、
9…ＡＣアダプタ、
10…本特許使用時の放電曲線、11…通常バッテリの放電曲線、
21…FET、22…抵抗、23…トランジスタ、24…切断制御付きヒューズ、25…抵抗、
26…BIOS、27…キーボードコントローラ、28…DC/DC電源、29…ＡＣアダプタ、
30…バッテリパック、31…情報処理装置、
35…情報処理装置、36…バッテリパック、37…スイッチ、
45…スイッチ固定用ピン
51…情報処理装置、52…BIOS、53…切断制御付きヒューズ、
54…キーボードコントローラ
【図１】
2008048549.tif 000003
【図２】
2008048549.tif 000004
【図３】
2008048549.tif 000005
【図４】
2008048549.tif 000006
【図５】
2008048549.tif 000007
【図６】
2008048549.tif 000008